(57)【要約】【課題】既存の施錠対象部を加工することなく、個々の利用者専用の複数の錠前と鍵を使用可能にし、これにより利便性の問題並びに防犯上の問題等を同時に解決すること。【解決手段】一端と他端を有する心棒１０と、心棒の一端側が挿入される筒状部２１を有する第１部材２０と、心棒の他端側が挿入される筒状部３１を有する第２部材３０とを備える。第１部材は、筒状部の表面から突出する突出片２２と、突出片に設けられた受容口２３とを有する。第２部材３０は、筒状部３１の表面から突出して筒状部の軸線と平行に延び、先端部が受容口２３に挿入されるアーム３２とを有する。第１部材及び第２部材の筒状部には、筒状部の軸線と交差する方向に貫通した第１貫通孔２５、３５がそれぞれ設けられ、心棒の両端近くには、受容口にアームの先端部が挿入された状態において第１貫通孔と連通する第２貫通孔１１，１２がそれぞれ設けられている。【選択図】図１
2007182701.tif 000002
【特許請求の範囲】
【請求項１】
一端と他端を有する心棒と、
心棒の一端側が挿入される筒状部を有する第１部材と、
心棒の他端側が挿入される筒状部を有する第２部材とを備え、
前記第１部材は、その筒状部の表面から突出する突出片と、その突出片に設けられた受容口とを有し、
前記第２部材は、その筒状部の表面から突出して筒状部の軸線と並行に延び、先端部が前記受容口に挿入されるアームを有し、
前記第１部材及び第２部材の筒状部には、筒状部の軸線と交差する方向に貫通した第１貫通孔がそれぞれ設けられ、
前記心棒の両端近くには、前記受容口にアームの先端部が挿入された状態において、前記第１貫通孔と連通する第２貫通孔がそれぞれ設けられている、施錠用アダプター装置。
【請求項２】
前記第１貫通孔及び第２貫通孔は、南京錠等の錠前のシャックルを挿入可能な内径に形成されている、請求項１に記載の施錠用アダプター装置。
【請求項３】
前記突出片の受容口は、その突出片を貫通している、請求項１又は２に記載の施錠用アダプター装置。
【請求項４】
前記アームは、前記筒状部の表面から筒状部の径方向へ突出する起立部と、その起立部から筒状部の軸線と平行に延びる水平部とを有している、請求項１〜３の何れかに記載の施錠用アダプター装置。
【請求項５】
前記第１貫通孔及び第２貫通孔を貫通する形態で挿入される挿入部材を更に備え、その挿入部材の両端近くには、前記シャックルを挿入可能な第３貫通孔がそれぞれ設けられている、請求項１〜４の何れかに記載の施錠用アダプター装置。
【請求項６】
前記第１貫通孔の軸線は、前記アームの起立部の軸線と平行であり、第２貫通孔の軸線は前記心棒の軸線と直交している、請求項１〜５の何れかに記載の施錠用アダプター装置。
【請求項７】
前記心棒は角柱状又は角筒状に形成され、前記第１部材及び第２部材の筒状部は角筒状に形成されている、請求項１〜６の何れかに記載の施錠用アダプター装置。
【発明の詳細な説明】
【技術分野】
【０００１】
本発明は、門扉等の施錠対象部に南京錠等の錠前を使用して施錠する際に好適に用いられる施錠用アダプター装置に関する。
【背景技術】
【０００２】
従来、例えば駐車場の門扉では、図１０に示すように、南京錠（錠前）１を使用して門扉２を施錠することが多い。この錠前１は、堅牢で使用に便利な他、交換も容易に行えるといった利点を備えているため、門扉以外の種々の施錠対象部にも使用されている。
【０００３】
ところで、この図１０に示す例では、門扉２側に固定された合わせ金具３の通し穴４と、門柱５側に固定された合わせ金具６の通し穴７とに、錠前１のシャックル１ａを通して施錠する構造となっている。従って、錠前１の使用数は１個に限定され、２個以上同時に使用することはできない。
【発明の開示】
【発明が解決しようとする課題】
【０００４】
ところが、こうした錠前１を使用する施錠対象部において、複数の共同利用者がいる場合、１個の錠前に対して複数の合い鍵が必要となる。即ち、複数の合い鍵を個々の利用者のそれぞれに対して貸し出すことになる。その場合、合い鍵の紛失や合い鍵の合い鍵作成（コピー）といった防犯上の問題が生じやすい。特に、合い鍵が複数存在するため、錠前が不正開錠されたときに、どの利用者の合い鍵が不正使用されたか否かの特定が難しく、責任の所在も不明確になる問題がある。この点は、合い鍵を紛失した場合も同様である。
【０００５】
一方、錠前の合い鍵を貸し出さない場合は、鍵の保管者が利用者の必要性に合わせてその都度、現地錠前の開放・施錠に立ち会わなければならない不具合が生じる。
【０００６】
そこで、複数の錠前を準備し、それらの鍵を個々の利用者に割り当てて、利用者専用の錠前と鍵を使用する方法も考えられる。しかし、既存の門扉等においては施錠対象部を改造したり、門扉を複数設けるといった方法となるために、多大なコストがかかり、好ましくない。以上のような問題は、既存の門扉等に限らず、例えば既存の倉庫、冷蔵庫、冷凍庫、その他の鍵付き施設や収納容器、各種施錠対象物品等においても同様である。
【０００７】
よって、本発明の課題は、施錠対象部と錠前との間に施錠用アダプター装置を介装することで、既存の施錠対象部を加工することなく、個々の利用者専用の複数の錠前と鍵を使用可能にして、上記の問題を解決することができる技術を提供することにある。
【課題を解決するための手段】
【０００８】
前記課題を解決するため、本発明では以下の手段を採用した。
【０００９】
本発明は、一端と他端を有する心棒と、心棒の一端側が挿入される筒状部を有する第１部材と、心棒の他端側が挿入される筒状部を有する第２部材とを備え、前記第１部材は、その筒状部の表面から突出する突出片と、その突出片に設けられた受容口とを有し、前記第２部材は、その筒状部の表面から突出して筒状部の軸線と並行に延び、先端部が前記受容口に挿入されるアームを有し、前記第１部材及び第２部材の筒状部には、筒状部の軸線と交差する方向に貫通した第１貫通孔がそれぞれ設けられ、前記心棒の両端近くには、前記受容口にアームの先端部が挿入された状態において前記第１貫通孔と連通する第２貫通孔がそれぞれ設けられている構成とした。
【００１０】
本発明によれば、心棒と第１部材及び第２部材には、受容口にアームの先端部が挿入された状態において互いに連通する第１貫通孔及び第２貫通孔がそれぞれ設けられている。従って、施錠対象部の例えば合わせ金具の通し穴に錠前のシャックルを通す代わりにアームを通し、第１貫通孔及び第２貫通孔に錠前のシャックルをそれぞれ差し通して施錠すれば、２つの錠前で施錠することができる。この状態では、２つの錠前のうちの何れか一方を開錠して取り外せば、第１部材又は第２部材の何れか（錠前を取り外した方）を心棒から分離させて、施錠用アダプター装置を合わせ金具から取り外し、施錠対象部を開放することができる。従って、何れの利用者も専用の錠前と鍵を利用することが可能になる。これにより、既存の施錠対象部を加工することなく、個々の利用者専用の複数の錠前と鍵を使用可能になる。
【００１１】
本発明において、前記突出片の受容口は、その突出片を貫通していることが望ましい。この受容口は貫通していなくてもその機能を発揮するが、貫通させた場合には、受容口に対してアームを貫通する形態とすることも可能になるので、突出片の肉厚を薄くでき、しかも突出片やアームを無理に変形させてもアームの先端部が受容口から容易に外れない設計とすることができる。
【００１２】
本発明において、前記アームは、前記筒状部の表面から筒状部の径方向へ突出する起立部と、その起立部から筒状部の軸線と平行に延びる水平部とを有することが望ましい。このようにすれば、アームの曲げ加工が一カ所で済むだけでなく、アームの水平部を合わせ金具の通し穴に通しやすい形状とすることができる。
【００１３】
本発明においては、前記第１貫通孔及び第２貫通孔を貫通する形態で挿入される挿入部材を更に備え、その挿入部材の両端近くには、前記シャックルを挿入可能な第３貫通孔がそれぞれ設けられている構成とすることもできる。このように構成すれば、第３貫通孔に錠前のシャックルをそれぞれ差し通して施錠することで、４つの錠前で施錠することができる。この状態では、４つの錠前のうちの何れか１つを開錠して取り外すことで、例えば、第１部材側の挿入部材を取り外すことで、第１部材を心棒から分離させて、施錠用アダプター装置を合わせ金具から取り外し、施錠対象部を開放することができる。従って、この場合、４人の利用者が専用の錠前と鍵を利用することが可能になる。
【００１４】
本発明において、前記第１貫通孔の軸線は、前記アームの起立部の軸線と平行に、第２貫通孔の軸線は前記心棒の軸線と直交していることが望ましい。第１貫通孔の軸線を起立部の軸線と平行にした場合、第１貫通孔に挿入される挿入部材も起立部と平行になるので、起立部と直交する方向へ突出する部分を無くすことができ、アダプター装置全体を薄型に形成することができる。
【００１５】
本発明において、前記心棒は角柱状又は角筒状に形成され、前記第１部材及び第２部材の筒状部は角筒状に形成された構成とすることもできる。このように構成した場合、第１部材及び第２部材に心棒の両端を挿入して互いに組み合わせた状態では第１部材及び第２部材と心棒とがそれらの軸回りに相対的に回転できない構成となる。従って、各部材を組み合わせるだけで、第１貫通孔と第２貫通孔とが必然的に連通することになり、その分、錠前での施錠操作や挿入部材の挿入操作も容易になる。
【発明の効果】
【００１６】
本発明の施錠用アダプター装置によれば、施錠対象部に複数の部材を組み合わせて構成するアダプター装置を装着し、そのアダプター装置を複数の錠前で施錠する構造としたことで、既存の施錠対象部を加工することなく、個々の利用者専用の複数の錠前と鍵を使用可能にし、これにより利便性の問題並びに防犯上の問題等を同時に解決することができる
。
【発明を実施するための最良の形態】
【００１７】
以下、本発明の好適な実施例について、図面を参照して説明する。図１は、本発明の施錠用アダプター装置の使用例を示す斜視図である。図２はアダプター装置自体の分解斜視図である。図３はアダプター装置を組み立てた状態の断面図である。
（実施例１）
本発明の実施例１に係るアダプター装置を図１〜図５に示す。このアダプター装置は、図２に示すように、一端と他端を有する円柱状の心棒１０と、心棒１０の一端側が挿入される筒状部２１を有する第１部材２０と、心棒１０の他端側が挿入される筒状部３１を有する第２部材３０とを備えている。これら心棒１０、第１部材２０及び第２部材３０は十分な強度を備える金属、たとえばステンレス鋼により製作されている。勿論、他の金属により、あるいは用途に合わせて合成樹脂により形成してもよい。
【００１８】
第１部材２０は、その筒状部２１の表面から突出する突出片２２と、その突出片２２に設けられた受容口２３とを有している。突出片２２は厚肉の板材からなり、その基端が筒状部２１の表面に溶接により取り付けられ、他端が筒状部２１の径方向に突出している。
【００１９】
そして、この突出片２２の先端近くに受容口２３が設けられている。この受容口２３は突出片２２の板厚方向に貫通する貫通口として形成されている。なお、この筒状部２１は、この実施例では閉じられた端面２４を有する円筒状に形成されているが、この端面２４の無い単なる円筒状に形成してもよい。
【００２０】
第２部材３０は、その筒状部３１の表面から突出して筒状部３１の軸線と平行に延び、先端部が受容口２３に挿入されるアーム３２とを有している。アーム３２はＬ形状に曲げ形成された円柱状の棒材からなり、その基端が筒状部３１の表面に溶接により取り付けられ、先端が受容口２３へ向いている。
【００２１】
即ち、このアーム３２は筒状部３１の表面から筒状部３１の径方向へ突出する起立部３２ａと、その起立部３２ａから筒状部３１の軸線と平行に延びる水平部３２ｂとを有している。従って、図１に示すように、アーム３２の水平部３２ｂを双方の合わせ金具３，６の通し穴４、７に差し通すことができるように構成されている。なお、この筒状部３１も、この実施例では閉じられた端面３４を有する円筒状に形成されているが、この端面３４の無い単なる円筒状に形成してもよい。
【００２２】
第１部材２０及び第２部材３０の筒状部２１、３１には、その端面２４、３４近くに、両筒状部２１、３１の軸線と交差する方向に貫通した第１貫通孔２５，３５がそれぞれ設けられている。さらに、心棒１０の両端近くには、図１及び図３に示すように、受容口２３にアーム３２の先端部が挿入された状態において第１貫通孔２５，３５とほぼ同軸に連通する第２貫通孔１１、１２がそれぞれ設けられている。
【００２３】
この実施例によれば、心棒１０と第１部材２０及び第２部材３０には、受容口２３にアーム３２の先端部が挿入された状態（組み合わせ状態）において互いに連通する第１貫通孔２５、３５及び第２貫通孔１１、１２がそれぞれ設けられている。従って、施錠対象部の合わせ金具３、６の通し穴４、７に錠前１のシャックル１ａを通す代わりにアーム３２を通し、第１部材２０の第１貫通孔２５と心棒１０の第２貫通孔１１に、第２部材３０の第１貫通孔３５と心棒１０の第２貫通孔１２に、錠前１のシャックル１ａをそれぞれ差し通して施錠すれば、２つの錠前１、１で施錠することができる。
【００２４】
この状態では、２つの錠前１、１のうちの何れか一方を開錠して取り外せば、第１部材
又は第２部材の何れか（錠前を取り外した方）を心棒から分離させて、アダプター装置を合わせ金具から取り外し、施錠対象部の合わせ金具３，６を開放（開錠）することができる。
【００２５】
即ち、図４に示すように、図において右側の錠前１を取り外すだけで、心棒１０と第２部材３０とを分離させることができる。また、図５に示すように、図において左側の錠前１を外すだけで、心棒１０と第１部材２０とを分離させることができる。従って、何れの利用者も専用の錠前と鍵を利用することが可能になる。これにより、既存の施錠対象部を加工することなく、個々の利用者専用の複数の錠前と鍵を使用可能になる。
【００２６】
なお、この実施例において、突出片２２の受容口２３が、その突出片２２を貫通している例を示しているが、この受容口２３は貫通していなくてもその機能を発揮する。しかし、このように貫通させた場合には、受容口２３をアーム３２が貫通する形態とすることができるので、突出片２２の肉厚を薄くでき、しかも突出片２２やアーム３２を無理に変形させてもアーム３２の先端部が受容口２３から容易に外れない設計とすることができる。
【００２７】
また、アーム３２は、筒状部３１の表面から筒状部３１の径方向へ突出する起立部３２ａと、その起立部３２ａから筒状部３１の軸線と平行に延びる水平部３２ｂとを有している。従って、アーム３２の曲げ加工が一カ所で済むだけでなく、アーム３２の水平部３２ｂを合わせ金具３、６の通し穴４．７に通しやすい形状とすることができる。
（実施例２）
図６は、本発明の実施例２に係る施錠用アダプター装置の斜視図である。図７はそのアダプター装置の断面図である。なお、この実施例２において、実施例１と基本的に同一の構成要素については同一の符号を付してその説明を簡略化する。
【００２８】
この実施例２のアダプター装置は、第１部材２０及び第２部材３０の第１貫通孔２５、３５と、心棒１０の第２貫通孔１１、１２とにそれぞれ挿入される挿入部材４０、５０を更に備えた構成としたものである。挿入部材４０、５０はいずれも円柱状で、その両端近くには錠前１のシャックル１ａを挿入可能な第３貫通孔４１、５１がそれぞれ設けられている。
【００２９】
挿入部材４０、５０の長さは第１部材２０及び第２部材３０の直径よりも十分に長く形成されている。即ち、挿入部材４０、５０をそれぞれ挿入した状態で、各挿入部材４０、５０の両端近くの第３貫通孔４１、５１が両方とも露呈される長さに設定されている。
【００３０】
この実施例２のアダプター装置によれば、第３貫通孔４１、５１に錠前１のシャックル１ａをそれぞれ差し通して施錠すれば、４つの錠前１で施錠することができる。この状態では、４つの錠前１のうちの何れか１つを開錠して取り外すことで、例えば、第１部材２０側の挿入部材４０を取り外すことで、実施例１と同様に第１部材２０を心棒１０から分離させて、アダプター装置を合わせ金具３、６から取り外し、施錠対象部を開放することができる。従って、この実施例では４人の利用者が専用の錠前１と鍵（図示せず）を利用することが可能になる。
【００３１】
また、第１貫通孔２５、３５の軸線をアーム３２の起立部３２ａの軸線と並行に設けているので、各第１貫通孔２５、３５に挿入される挿入部材４０、５０も起立部３２ａと平行になる。これにより、起立部３２ａと直交する方向へ突出する部分を無くすことができ、アダプター装置全体を薄型に構成することができる。
（実施例３）
図８は、本発明の実施例３に係る施錠用アダプター装置の斜視図である。なお、この実施例２において、実施例１と基本的に同一の構成要素については同一の符号を付してその
説明を簡略化する。
【００３２】
この実施例３では、第１部材２０及び第２部材３０の第１貫通孔２５、３５を、その軸線が、アーム３２の起立部３２ａの軸線と直交する方向に向くように設けたものである。なお、心棒１０第２貫通孔１１、１２については先の実施例と同じ向きに設けられている。このように、第１貫通孔２５、３５に関し、その軸線が起立部３２ａの軸線と直交する構成とした場合、各第１貫通孔２５、３５に挿入される挿入部材４０、５０も起立部３２ａと直交する組立状態になる。従って、このアダプター装置を吊り下げる形態で使用する場合に、４つの錠前１をバランス良く配置することが可能になる。
（実施例４）
図９は、本発明の実施例４に係る施錠用アダプター装置の斜視図である。なお、この実施例４において、実施例１と基本的に同一の構成要素については同一の符号を付してその説明を簡略化する。
【００３３】
この実施例４においては、心棒１０を角柱状（又は角筒状）に形成し、第１部材２０及び第２部材３０の筒状部２１、３１を角筒状に形成したものである。この実施例４によれば、第１部材２０及び第２部材３０に心棒１０の両端を挿入して互いに組み合わせた状態では、第１部材２０及び第２部材３０と心棒１０とがそれらの軸回りに相対的に回転できない構成となる。
【００３４】
従って、各部材を組み合わせるだけで、第１貫通孔２５と第２貫通孔１１、第１貫通孔３５と第２貫通孔１２とがそれぞれ必然的に連通する（同軸に重なる）ことになり、その分、錠前１での施錠操作や挿入部材の挿入操作も容易になる。なお、挿入部材としては、先の実施例の挿入部材４０、５０をそのまま利用できる。
【図面の簡単な説明】
【００３５】
【図１】本発明の実施例１に係る施錠用アダプター装置の使用例を示す斜視図。
【図２】本発明の実施例１に係る施錠用アダプター装置の分解斜視図。
【図３】本発明の実施例１に係る施錠用アダプター装置の断面図。
【図４】本発明の実施例１に係る施錠用アダプター装置の斜視図。
【図５】本発明の実施例１に係る施錠用アダプター装置の斜視図。
【図６】本発明の実施例２に係る施錠用アダプター装置の斜視図。
【図７】本発明の実施例２に係る施錠用アダプター装置の断面図。
【図８】本発明の実施例３に係る施錠用アダプター装置の斜視図。
【図９】本発明の実施例４に係る施錠用アダプター装置の分解斜視図。
【図１０】従来例を示す斜視図。
【符号の説明】
【００３６】
１  錠前（南京錠）
１ａ  シャックル
２  門扉
３、６  合わせ金具（施錠対象部）
４、７  通し穴
１０  心棒
１１、１２  第２貫通孔
２０  第１部材
２１  筒状部
２２  突出片
２３  受容口
２５、３５  第１貫通孔
３０  第２部材
３１  筒状部
３２  アーム
３２ａ  起立部
３２ｂ  水平部
４０、５０  挿入部材
４１、５１  第３貫通孔
【図１】
2007182701.tif 000003
【図２】
2007182701.tif 000004
【図３】
2007182701.tif 000005
【図４】
2007182701.tif 000006
【図５】
2007182701.tif 000007
【図６】
2007182701.tif 000008
【図７】
2007182701.tif 000009
【図８】
2007182701.tif 000010
【図９】
2007182701.tif 000011
【図１０】
2007182701.tif 000012